(57)【要約】【課題】組み付け作業性がよい空冷によって放熱を行うことを前提とし、空冷による冷却効果を十分期待することができ、ＬＤ光源の温度を一定の温度以下に維持する。【解決手段】ヒートシンク５８の長手方向に亘り、緊密に配置された多数のＬＤ光源４８を奇数番目と偶数番目とに分類し、これらを光軸方向にオフセットさせて千鳥配列構造とした。これにより、各ＬＤ光源４８の自己発熱による温度分布領域４８Ａの重なりを軽減することができ、隣接するＬＤ光源４８の周囲による影響、並びに温度分布領域４８Ａの重なりによるヒートシンク５８の温度むらを解消することができ、均一にＬＤ光源４８を、むらなく所定温度以下に維持することができる。【選択図】        図４
2004259824.tif 000002
【特許請求の範囲】
【請求項１】
複数のＬＤ光源を備えた画像記録装置用光源ユニットであって、
前記複数のＬＤ光源がその発光光軸を略平行として取り付けられ、前記ＬＤ光源から伝導してきた熱を放出する放熱部材と、
前記放熱部材に向けて冷却風を送風する送風手段とを有し、
前記放熱部材への前記複数のＬＤ光源の取り付け位置をずらして配列したことを特徴とする画像記録装置用光源ユニット。
【請求項２】
前記放熱部材への前記複数のＬＤ光源の取り付け位置は、前記ＬＤ光源の自己発熱量、並びに前記放熱部材及び送風手段を含む周囲温度に応じた熱分布に基づくことを特徴とする請求項１記載の画像記録装置用光源ユニット。
【請求項３】
前記取り付け位置の範囲が予め定められた領域に制限されており、前記ＬＤ光源が前記領域内で千鳥配置されていることを特徴とする請求項１又は請求項２記載の画像記録装置用光源ユニット。
【請求項４】
前記送風手段の冷却風の送風上流側から下流側にかけて、前記放熱部材上のＬＤ光源の取付ピッチが徐々に広くなるように配列したことを特徴とする請求項１乃至請求項３の何れか１項記載の画像記録装置用光源ユニット。
【請求項５】
前記ＬＤ光源は、ファイバーレーザーとする請求項１乃至請求項４の何れか１項記載の画像記録装置用光源ユニット。
【発明の詳細な説明】
【０００１】
【発明の属する技術分野】
本発明は、複数のＬＤ光源を露光光源群としてユニット化し、当該各ＬＤ光源からの光を記録媒体が位置決めされた露光面へ案内することで、複数の走査ラインを同時に走査する画像記録装置に用いられる光源ユニットに関するものである。
【０００２】
【従来の技術】
画像記録装置、例えばＣＴＰ等の印刷版露光装置としては、シート状の印刷版（例えば所謂フォトポリプレートやサーマルプレート）における支持体上の画像形成層（感光層、乳剤面）に、直接レーザビームで画像を記録（露光）するものが開発されてきている。
【０００３】
ところで、上記レーザビームは、光を発するＬＤ光源を露光光源としている。ここで、ＬＤ光源の性能保持や耐久性確保を図るためには、ＬＤ光源を一定の温度以下に維持する必要があり、このため、ＬＤ光源を所謂ヒートシンク、ペルチェ素子またはチラー等組み付けることで、冷却手段へＬＤ光源の熱を伝導させることがなされている（特許文献１参照）。
【０００４】
上記のようにＬＤ光源を温度制御し、光出力を安定させる技術は、特許文献１に限らず、周知の技術として一般的になされていることである。
【０００５】
【特許文献１】
特開平１０−１１７０４１号公報
【０００６】
【発明が解決しようとする課題】
ここで、ペルチェ素子等の冷却手段は、冷却効果としては十分であるが、冷却手段として付加部品を装備しなければならず、組み付け作業が面倒であり、コストもアップする。
【０００７】
一方、ヒートシンク等の空冷手段は、ＬＤ光源を取り付けるベースにもなり得、別途付加部品等部品等が不要であるため、組み付け易く、コスト的にも有利である簡便である。
【０００８】
ここで、空冷手段は、冷却効果が不十分であるため、放熱効果を上げるために、例えば、ヒートシンクに向けて送風することで、ヒートシンクからの放熱を促進するといった手段が考えられる。
【０００９】
しかしながら、特に、多数（最大８７個）のＬＤ光源を限られた筐体内に収容した場合、個々のＬＤ光源の取付ピッチが狭く、それぞれのＬＤ光源から発熱が他のＬＤ光源に影響を及ぼしたり、筐体が比較的閉ざされた空間であると、周囲の環境温度等の影響で、放熱が効率よく行われない場合がある。
【００１０】
本発明は上記事実を考慮し、組み付け作業性がよい空冷によって放熱を行うことを前提とし、空冷による冷却効果を十分期待することができ、ＬＤ光源の温度を一定の温度以下に維持することができる画像記録装置用光源ユニットを得ることが目的である。
【００１１】
【課題を解決するための手段】
請求項１に記載の発明は、複数のＬＤ光源を備えた画像記録装置用光源ユニットであって、前記複数のＬＤ光源がその発光光軸を略平行として取り付けられ、前記ＬＤ光源から伝導してきた熱を放出する放熱部材と、前記放熱部材に向けて冷却風を送風する送風手段とを有し、前記放熱部材への前記複数のＬＤ光源の取り付け位置をずらして配列したことを特徴としている。
【００１２】
請求項１記載の発明によれば、ＬＤ光源がその光軸が略平行となるように配列される場合、限られたスペース内でＬＤ光源の数が多ければ多いほど、その取付ピッチが狭まることになる。取付ピッチが狭まると、隣接するＬＤ光源間で互いの熱の影響を受けやすくなる。そこで、ＬＤ光源の取り付け位置をずらして配列する。このずらした配列により実質的な間隔が広がり、その分熱の影響を緩和することができる。ずらす量は離せば離すほど効果的である。
【００１３】
請求項２に記載の発明は、前記請求項１に記載の発明において、前記放熱部材への前記複数のＬＤ光源の取り付け位置は、前記ＬＤ光源の自己発熱量、並びに前記放熱部材及び送風手段を含む周囲温度に応じた熱分布に基づくことを特徴としている。
【００１４】
請求項２に記載の発明によれば、ＬＤ光源をずらして取り付ける場合に、ＬＤ光源の自己発熱量、並びに前記放熱部材及び送風手段を含む周囲温度に応じた熱分布を勘案することで、最適なずらし位置を設定することができる。
【００１５】
請求項３に記載の発明は、前記請求項１又は請求項２に記載の発明において、前記取り付け位置の範囲が予め定められた領域に制限されており、前記ＬＤ光源が前記領域内で千鳥配置されていることを特徴とする請求項１又は請求項２記載の画像記録装置用光源ユニット。
している。
【００１６】
請求項３に記載の発明によれば、光源ユニット全体を見た場合、各ＬＤ光源の取付ピッチを平均的にするのが好ましい。また、ＬＤ光源を取り付けるための領域は一般的に予め定められ、制限がある。そこで、ＬＤ光源を千鳥配列とすることで、隣接するＬＤ光源間のピッチをほぼ均一とすることができる。
【００１７】
請求項４に記載の発明は、前記請求項１乃至請求項３の何れか１項記載の発明において、前記送風手段の冷却風の送風上流側から下流側にかけて、前記放熱部材上のＬＤ光源の取付ピッチが徐々に広くなるように配列したことを特徴としている。
【００１８】
請求項４に記載の発明によれば、送風手段の上流側では、新鮮な冷却風が吹き付けられるため、ＬＤ光源の発熱を押さえる効果としては高い。一方、このようなＬＤ光源から受熱した冷却風が次の（下流側の）ＬＤ光源の冷却を対象とした場合、その効果を落ちる。従って、最上流側のＬＤ光源からの受熱量と、最下流側のＬＤ光源からの受熱量とに差が生じる。
【００１９】
そこで、送風手段の冷却風の送風上流側から下流側にかけて、放熱部材上のＬＤ光源の取付ピッチが徐々に広くなるように配列した。これにより、ＬＤ光源の取付ピッチが広い分、放熱効果が上がり、前記送風手段での冷却効果と相殺させ、略均等な冷却が実現できる。
【００２０】
請求項５に記載の発明は、前記請求項１乃至請求項４の何れか１項記載の発明において、前記ＬＤ光源は、ファイバーレーザーとしている。
【００２１】
請求項５に記載の発明によれば、ＬＤ光源からの照射される光をファイバーによって案内する構成とすることで、ＬＤ光源自体の相対位置関係は画像記録のための光軸の相対位置関係とは無関係となり、所望の配列が可能となる。
【００２２】
【発明の実施の形態】
「第１の実施の形態」
（画像記録装置の構成）
以下に、画像記録装置として適用される印刷版自動露光装置１５０の概略構成を示す。
【００２３】
図１に示される如く、印刷版自動露光装置１５０の露光部１４は、印刷版１２を周面に巻付けて保持する回転ドラム１６を主要部として構成されており、印刷版１２は、搬送ガイドユニット１８に案内されて、この回転ドラム１６の接線方向から送り込まれるようになっている。
【００２４】
回転ドラム１６の図３の上部には、パンチャー２４が配設されている。
【００２５】
搬送ガイドユニット１８は、給版ガイド２０と排版ガイド２２とで構成されている。
【００２６】
搬送ガイドユニット１８の給版ガイド２０と排版ガイド２２とは、互いの相対位置関係が横Ｖ字型とされ、図１の右端部側の中心として、所定角度回動する構造となっている。この回動によって、給版ガイド２０及び排版ガイド２２を選択的に前記回転ドラム１６又はパンチャー２４に対応させることができる。
【００２７】
印刷版１２は、まず、給版ガイド２０に案内されてパンチャー２４へ送り込まれ、この印刷版１２の先端に位置決め用の切欠きを形成する。
【００２８】
印刷版１２は、パンチャー２４による処理後、一旦給版ガイド２０に戻されることで、回転ドラム１６に対応する位置に移動される。
【００２９】
回転ドラム１６は、図示しない駆動手段によって、印刷版１２の装着露光方向（図１の矢印Ａ方向）及び装着露光方向と反対方向となる印刷版１２の取外し方向（図１の矢印Ｂ方向）へ回転される。
【００３０】
図１に示されるように、露光部１４に設けられている回転ドラム１６には、外周面の所定の位置に、先端チャック２６が取付けられている。露光部１４では、この回転ドラム１６に印刷版１２を装着するときに、先ず、先端チャック２６が、搬送ガイドユニット１８の給版ガイド２０によって送り込まれる印刷版１２の先端に対向する位置（印刷版装着位置）で回転ドラム１６を停止させる。
【００３１】
露光部２２には、印刷版装着位置で先端チャック２６に対向して装着ユニット２８が設けられている。先端チャック２６は、この装着ユニット２８の伸縮ロッド２８Ａが伸長して一端側が押圧されることにより、回転ドラム１６の周面との間に印刷版１２の挿入が可能となる。
【００３２】
露光部１４では、印刷版１２の先端が先端チャック２６と回転ドラム１６の間に挿入された状態で、装着ユニット２８の伸縮ロッド２８Ａを引き戻して先端チャック２６への押圧を解除することにより、印刷版１２の先端を先端チャック２６と回転ドラム１６の周面との間で挟持して保持する。
【００３３】
このときに、印刷版１２は、先端が回転ドラム１６に設けられた位置決めピン（図示省略）に突き当てられて位置決めされる。
【００３４】
露光部１４では、回転ドラム１６に印刷版１２の先端が固定されると、回転ドラム１６を装着露光方向（図１の矢印Ａ方向）へ回転する。これにより、搬送ガイドユニット１８の給版ガイド２０から送り込まれる印刷版１２は、回転ドラム１６の周面に巻き付けられる。
【００３５】
回転ドラム１６の周面近傍には、印刷版装着位置よりも装着露光方向の下流側にスクイズローラ３０が配置されている。このスクイズローラ３０は、回転ドラム１６に向けて移動することにより回転ドラム１６に巻き付けられる印刷版１２を回転ドラム１６へ向けて押圧し、印刷版１２を回転ドラム１６の周面に密着させる。
【００３６】
また、露光部１４には、スクイズローラ３０よりも回転ドラム１６の装着露光方向上流側近傍に後端チャック着脱ユニット３２が配置されている。後端チャック着脱ユニット３２には、回転ドラム１６へ向けて突出されたシャフト３４の先端に後端チャック３６が装着されている。
【００３７】
露光部１４では、回転ドラム１６に巻き付けた印刷版１２の後端が、後端チャック着脱ユニット３２に対向すると、シャフト３４を突出させて、後端チャック３６を回転ドラム１６の所定の位置に装着する。これにより、後端チャック３６が、回転ドラム１６との間で印刷版１２の後端を挟持して保持する。
【００３８】
露光部１４では、印刷版１２の先端及び後端を回転ドラム１６に保持させるとスクイズローラ３０を離間させる。この後、露光部１４では、回転ドラム１６を所定の回転速度で高速回転させながら（主走査）、この回転ドラム１６の回転に同期させて、記録ヘッド部３７から画像データに基づいて変調した光ビームを照射する。
（光源ユニットの構成）
図２に示される如く、記録ヘッド部３７の下方には、ＬＤ光源ユニット４０が配置されている。ＬＤ光源ユニット４０の左右方向両側には、それぞれスライドガイド４２が前後方向に平行に設けられており、ＬＤ光源ユニット４０が一対のスライドガイド４２に案内されて前方へスライドされることで、ＬＤ光源ユニット４０を装置本体から引き出し可能とされている。
【００３９】
ＬＤ光源ユニット４０の右側壁後端からは、可撓性を有する光ファイバーケーブル４４が延出されており、光ファイバーケーブル４４の一端部は記録ヘッド部３７に接続されている。ＬＤ光源ユニット４０の右側方には平面視Ｊ字状かつ断面コ字状のケーブルベア４６が設けられており、ケーブルベア４６内には光ファイバーケーブル４４が配置されている。このため、ＬＤ光源ユニット４０が装置本体に対し出し入れされる際に、ケーブルベア４６によって光ファイバーケーブル４４の配置及び姿勢が規制され、これにより、光ファイバーケーブル４４の折れ曲がりや損傷が抑制されている。
【００４０】
ＬＤ光源ユニット４０内には、高出力（約１Ｗ）のＬＤ光源４８が複数配置されている。なお、第１の実施の形態では、最大８７個のＬＤ光源４８が、ＬＤ光源ユニット４０内の左右方向両端部のそれぞれにおいて光軸が平行となるように配置されている。
【００４１】
ＬＤ光源ユニット４０の中央部分には、所定数（第１の実施の形態では合計１２個）の制御ユニット５０が設けられており、制御ユニット５０は前後方向に沿って２列配置されている。制御ユニット５０は、図示しないハーネスを介して各ＬＤ光源４８に接続されており、画像データに応じてＬＤ光源４８へ信号を送出し、発光させる。
【００４２】
各ＬＤ光源４８には、ファイバーカップリングプラグ５４が取り付けられており、ファイバーカップリングプラグ５４はコネクタ５６を介して前記光ファイバーケーブル４４の他端部に接続されている。このため、ＬＤ光源４８が発光されると、この光は、ファイバーカップリングプラグ５４、コネクタ５６及び光ファイバーケーブル４４を介して記録ヘッド部３７へ案内されて、記録ヘッド部３７内の集光光学系（図示省略）によって光ビーム（レーザビーム）にされる。
【００４３】
これにより、記録ヘッド部３７が、上述の如く高速回転される回転ドラム２４に向け、この回転ドラム２４の回転に同期させて、上記光ビームを照射することで、印刷版１２が画像データに基づいて露光される。この露光処理は、回転ドラム２４を高速で回転させながら（主走査）、記録ヘッド部３７を回転ドラム２４の軸線方向へ移動させる（副走査）、所謂走査露光である。
【００４４】
図３に示される如く、ＬＤ光源ユニット４０内には、前記ＬＤ光源４８のベースとして適用される放熱部材としての板状のヒートシンク５８が配設されている。ヒートシンク５８は、前記ＬＤ光源４８が発光することにより発する熱を受け、放熱する役目を有している。
【００４５】
各ヒートシンク５８は、下端面に前記ＬＤ光源４８の配列方向に筋状となる複数のフィン５８Ａが一体形成されている。この筋状のフィン５８Ａの間は、送風手段としてのファン７０（図２参照）からの冷却風（図３の矢印Ａ参照）の通過路となっている。これにより、ＬＤ光源４８から発する熱を受けたヒートシンク５８は、冷却風によって放熱が促進されることになる。
【００４６】
ＬＤ光源ユニット４０の側壁には所定数（第１の実施の形態では２つ）の電源ボックス７８が固定されており、各電源ボックス７８は制御ユニット５０等へ電力を供給する。
【００４７】
ここで、図２では、ＬＤ光源ユニット４０の全体の外観の概略を示しているため詳細部分については明瞭に図示していないが、第１の実施の形態では、ＬＤ光源４８の配列を光軸Ｌ方向にオフセットさせている（図３参照）。
【００４８】
すなわち、図３に示される如く、１つのヒートシンク５８に取付けられたＬＤ光源４８を、当該ヒートシンク５８の長手方向一端部から数えて、奇数番目のＬＤ光源４８と、偶数番目のＬＤ光源４８とに分類し、光軸方向に所定寸法ずらした状態で配列している。この結果、ＬＤ光源４８は、千鳥配列を構成している。
【００４９】
図４は、ＬＤ光源を平面視したときの自己発熱温度分布を示している。ＬＤ光源４８は、光の主発光面とその反対側から多く発熱し、所定温度以上の温度分布領域４８Ａが平面視で楕円となる。
【００５０】
この楕円形状の温度分布領域４８Ａが隣接するＬＤ光源４８にかかると、この隣接するＬＤ光源４８は自己発熱以外の熱を受け（環境温度）、さらに不安定となる可能性がある。
【００５１】
また、前記温度分布領域４８Ａ同士が重なると、その重なり部分の単位時間当たりの受熱量が増加し、この熱が集中する重なり部分とそれ以外とでヒートシンク５８による冷却効果にむらが生じる。
【００５２】
そこで、ＬＤ光源４８を上記の如く千鳥配列とし、前記温度分布領域４８Ａが互いに重ならず、かつ隣接するＬＤ光源４８にかからないようすることで、ヒートシンク５８の冷却効果を均一とし、個々のＬＤ光源４８への環境温度による発熱を抑制した。
【００５３】
以下に第１の実施の形態の作用を説明する。
【００５４】
上記印刷版自動露光装置１５０の動作は以下の通りである。
【００５５】
給版ガイド２０上の印刷版１２は、回転ドラム１６へ送り込まれ、先端チャック２６によって印刷版１２の先端部が保持され、この状態で回転ドラム１２が回転することで回転ドラム１６の周面に緊密に巻き付けられ、その後、後端チャック３６によって印刷版１２の後端が保持されることで、露光のための準備が完了する。
【００５６】
この状態で、画像データを読み込み、記録ヘッド部３７からの光ビームによって露光処理が開始される。露光処理は、回転ドラム１６を高速で回転させながら（主走査）、記録ヘッド部３７を回転ドラム１６の軸線方向へ移動する、所謂走査露光である。
【００５７】
露光処理が終了すると、搬送ガイドユニット１８を切り換え（排版ガイド２２を回転ドラム１６へ対応させ）、次いで、回転ドラム１６に巻きつけた印刷版１２を接線方向から排出していく。このとき、印刷版１２は、排版ガイド２２に送られる。
【００５８】
印刷版１２が排版ガイド２２に送られると、搬送ガイドユニット１８を切り換え、排版ガイド２２を排出口へ対応させ、印刷版１２を排出させる。この排出方向には、現像部が設けられており、印刷版１２は続けて現像処理される。
【００５９】
第１の実施の形態のＬＤ光源ユニット４０には、多数のＬＤ光源４８が配設されている。基本的には、ＬＤ光源４８は、制御ユニット５０を間に挟んで、２分割され、対向して配設されているが、光軸は互いに平行状態となっている。
【００６０】
ここで、第１の実施の形態では、制御ユニット５０を中心に振り分けられた各ＬＤ光源群はそれぞれ千鳥配列となっており、隣接するＬＤ光源４８間の寸法が、光軸ピッチよりも大きくなっている。
【００６１】
このため、図４に示すように、各ＬＤ光源４８の自己発熱による温度分布領域４８Ａが重ならず、かつ隣接するＬＤ光源４８にもかからない。
【００６２】
温度分布領域４８Ａが重ならないため、ヒートシンク５８の冷却効果がほぼ均一となり、効率よくＬＤ光源４８の冷却を促進することができる。
【００６３】
また、温度分布領域４８Ａが隣接するＬＤ光源４８にかからないため、ＬＤ光源４８は、周囲環境に影響されず、自己発熱のみの発熱となり安定した冷却がなされる。
【００６４】
従って、ＬＤ光源ユニット４０全体において、効率よくヒートシンク５８による冷却が促進されるため、ＬＤ光源４８の過温度による発光量の変動を抑制することができ、結果的に画像記録時の画質の向上を実現することができる。
【００６５】
また、一方向（光軸と直交する方向）の寸法は従来と変わらないため、ＬＤ光源ユニット４０が大型化することはない。
【００６６】
また、光軸方向において、千鳥配列によるオフセット量は、光ファイバーケーブル４４の長さ寸法を変更するのみでよいため、この光軸方向においても、ＬＤ光源ユニット４０を拡大する必要はない。
【００６７】
以上説明したように、第１の実施の形態では、ヒートシンク５８の長手方向に亘り、緊密に配置された多数のＬＤ光源４８を奇数番目と偶数番目とに分類し、これらを光軸方向にオフセットさせて千鳥配列構造とした。これにより、各ＬＤ光源４８の自己発熱による温度分布領域４８Ａの重なりを軽減することができ、隣接するＬＤ光源４８の周囲による影響、並びに温度分布領域４８Ａの重なりによるヒートシンク５８の温度むらを解消することができ、均一にＬＤ光源４８を、むらなく所定温度以下に維持することができる。
【００６８】
「第２の実施の形態」
以下に本発明の第２の実施の形態について説明する。なお、第１の実施の形態と同一構成部分については、同一の符号を付してその構成の説明を省略する。
【００６９】
前記第１の実施の形態では、ヒートシンク５８上のＬＤ光源４８の配列を千鳥配列としたが、第２の実施の形態の特徴は、ヒートシンク５８上のＬＤ光源４８の配列を粗密配列にしたことに特徴がある。
【００７０】
図５に示される如く、１つのヒートシンク５８の長手方向には１列でＬＤ光源４８が配列されている。このヒートシンク５８の長手方向一端部に対応するように、前記ファン７０が設けられており、ファン７０の駆動によって発生する冷却風（図５の矢印Ａ参照）は、このヒートシンク５８の一端部からフィン５８Ａの隙間を通過していく構成となっている。
【００７１】
このため、ヒートシンク５８の一端部近傍では、新鮮な冷却風、すなわち温度が比較的低い冷却風となる。一方、フィン５８Ａを通過してヒートシンク５８の他端部から排出される冷却風は、ヒートシンク５８からの熱を受け、比較的に温度が高くなっている。
【００７２】
このため、ヒートシンク５８の一端部側近傍に配置されたＬＤ光源４８と他端部側近傍に配置されたＬＤ光源４８とで、温度差が生じ、この温度差が大きくなると、発光量の差となって画質に多大な影響を及ぼす。
【００７３】
そこで、第２の実施の形態では、前記ヒートシンク５８の一端部側に配設されたＬＤ光源４８を粗配列とし、ヒートシング５８の他端部側に行くに従い密配列とした。
【００７４】
ＬＤ光源４８が粗配列であればあるほど、ヒートシンク５８の単位面積当たりの受熱量が低く、密配列であればあるほど、ヒートシンク５８の単位面積当たりの受熱量が高い。
【００７５】
これは、前記冷却風の温度特性と全く逆の特性であり、この結果、両者が相殺されて、ヒートシンク５８の長手方向に亘り、ＬＤ光源４８を均一な温度とすることができる。
【００７６】
なお、上記第１の実施の形態は、ＬＤ光源４８を主体として、自己発熱による隣接するＬＤ光源４８への影響並びにヒートシンク５８に与える温度むらを解消する構成として千鳥配列とし、第２の実施の形態では、ファン７０の駆動による冷却風を主体としており、ヒートシンク５８を積極的に冷却する冷却風の温度むらを解消する構成として粗密配列としたが、両者の目的はＬＤ光源４８の冷却であり、その温度むらを解消する対象が異なるものである。従って、第１の実施の形態の千鳥配列構造と、第２の実施の形態の粗密配列構造とを併用することで、冷却効果はさらに増大する。
【００７７】
【発明の効果】
以上説明した如く本発明では、組み付け作業性がよい空冷によって放熱を行うことを前提とし、空冷による冷却効果を十分期待することができ、ＬＤ光源の温度を一定の温度以下に維持することができるという優れた効果を有する。
【図面の簡単な説明】
【図１】第１の実施の形態に係る印刷版自動露光装置を示す概略的な側面図である。
【図２】第１の実施の形態に係るＬＤ光源ユニット等を示す斜視図である。
【図３】第１の実施の形態に係るＬＤ光源の配列構造の詳細を示す拡大斜視図である。
【図４】第１の実施の形態に係るＬＤ光源の配列構造を示す平面図である。
【図５】第２の実施の形態に係るＬＤ光源の配列構造を示す平面図である。
【符号の説明】
１０    印刷版自動露光装置
３７    記録ヘッド部
４０    ＬＤ光源ユニット（光源ユニット）
４４    光ファイバーケーブル
４８    ＬＤ光源
５０    制御ユニット
５６    コネクタ
５８    ヒートシンク（放熱部材）
７０  ファン（送風手段）
【図１】
2004259824.tif 000003
【図２】
2004259824.tif 000004
【図３】
2004259824.tif 000005
【図４】
2004259824.tif 000006
【図５】
2004259824.tif 000007